(57)【要約】【課題】メンテナンスなどのために基板を装置本体から容易に取り外すことができる機構体装置を提供すること。【解決手段】第一部品として記録媒体を装着する装着部、ディスク処理部、および情報処理部が取り付けられるベースシャーシ５１と、このベースシャーシ５１と所定間隔離して対向配置され第二部品として搬送機構が取り付けられるサブシャーシとを備えた装置本体５と、ベースシャーシ５１とサブシャーシとを結合する結合部材５３と、ベースシャーシ５１とサブシャーシとが結合部材５３により結合された状態で装置本体５に対して抜き差しされる基板６と、を具備して機構体装置２を構成した。【選択図】図４
2012243344.tif 000002
【特許請求の範囲】
【請求項１】
第一部品が取り付けられる第一支持体と、前記第一支持体と所定間隔離して対向配置され第二部品が取り付けられる第二支持体とを備えた装置本体と、
前記第一支持体と前記第二支持体とを結合する結合部材と、
前記第一支持体と前記第二支持体とが前記結合部材により結合された状態で前記装置本体に対して抜き差しされる基板と、を具備する
ことを特徴とする機構体装置。
【請求項２】
請求項１に記載の機構体装置において、
前記第一支持体と前記第二支持体との少なくとも一方には前記第一支持体と前記第二支持体とが前記結合部材により結合された状態で前記基板を前記装置本体に対して着脱可能とする基板着脱部が設けられる
ことを特徴とする機構体装置。
【請求項３】
請求項２に記載の機構体装置において、
前記基板着脱部は、前記基板を前記抜き差し方向に案内するガイド部を備えている
ことを特徴とする機構体装置。
【請求項４】
請求項２または請求項３に記載の機構体装置において、
前記基板着脱部は、前記第一支持体および前記第二支持体にそれぞれ設けられ前記第一支持体と前記第二支持体との間の間隔に対応する位置を規制する高さ規制部を備えている
ことを特徴とする機構体装置。
【請求項５】
請求項２ないし請求項４のいずれかに記載の機構体装置において、
前記基板は電子部品を有し、
前記第一部品は電気駆動部とこの電気駆動部に通電する駆動側コネクタとを有し、前記基板は基板側コネクタを有し、この基板側コネクタと前記駆動側コネクタとはフレキシブル基板で接続され、
前記フレキシブル基板は前記第一支持体に形成され前記基板側コネクタより大きな窓部に挿通される
ことを特徴とする機構体装置。
【請求項６】
請求項２ないし請求項５のいずれかに記載の機構体装置において、
前記基板は、その側縁部が前記第一部品の側面と離れるように平面Ｌ字形に形成される
ことを特徴とする機構体装置。
【請求項７】
請求項６に記載の機構体装置において、
前記基板側コネクタは前記基板の前記第一部品と近接する側縁部に沿って取り付けられる
ことを特徴とする機構体装置。
【請求項８】
請求項７に記載の機構体装置において、
前記基板側コネクタは前記基板の抜き差し方向に延びる位置と、この位置と交差する方向に延びる位置との複数箇所に設けられる
ことを特徴とする機構体装置。
【請求項９】
請求項２ないし請求項８のいずれかに記載の機構体装置において、
前記基板を装着した状態で前記第一支持体と前記第二支持体との少なくとも一方には開口部が形成され、この開口部を覆う蓋が前記第一支持体と前記第二支持体との少なくとも一方に取り付けられている
ことを特徴とする機構体装置。
【請求項１０】
請求項１ないし請求項９のいずれかに記載の機構体装置を備えた記録媒体駆動装置であって、
前記第一部品は、少なくとも記録媒体を装着する装着部、および前記記録媒体への情報の書き込みと前記記録媒体からの情報の読み出しとの少なくとも一方を行う情報処理部を備え、
前記第二部品は少なくとも前記記録媒体を前記装着部に装着するための搬送機構を備える
ことを特徴とする記録媒体駆動装置。
【発明の詳細な説明】
【技術分野】
【０００１】
本発明は、基板が装置本体に設けられる機構体装置、および機構体装置を備えた記録媒体駆動装置に関する。
【背景技術】
【０００２】
ＣＤやＤＶＤなどのディスク上の記録媒体への記録または再生を行うために記録媒体駆動装置が用いられている。この記録媒体駆動装置として、ベース本体と蓋体とからシャーシ外装が構成され、このシャーシ外装のフロント面にベゼルが装着され、このベゼルに設けたディスク挿入口からディスクが直接挿入されるディスク装置がある（例えば、特許文献１）。
この特許文献１の従来例において、ベース本体には、トラバースベースと、内部トレイと、スライダ機構とが設けられている。トラバースベースには、スピンドルモータ、ピックアップおよびこのピックアップを移動させる駆動手段が設けられている。トラバースベースのリア側には、プリント基板が配設される基板ベースが取り付けられている。内部トレイにはディテクトスイングレバー、ディテクトレバー、チェックスライダーなどのディスクを搬送しあるいはガイドするための機構が取り付けられている。
【０００３】
このような構造のディスク装置では、スライダ機構をはじめとする複雑な機構や、プリント基板などの電子部品が設けられた基板ベースがねじ等の結合部材によってベース本体に組み付けられており、この上から、ディスクをガイドするレバー類が取り付けられた内部トレイが組み付けられる。そして、電子部品とモータ類とはコネクタを介して互いに接続されている。
【先行技術文献】
【特許文献】
【０００４】
【特許文献１】特開２００８−１６５８７５公報
【発明の概要】
【発明が解決しようとする課題】
【０００５】
組立完成状態のディスク装置からプリント基板が配設された基板ベースを取り外してメンテナンスをすることがある。
特許文献１の従来例では、プリント基板が設けられた基板ベースやスライダ機構などの複雑な機構はベース本体などの筐体にねじなどで固定されているため、基板ベースを取り外すには、まず、筐体からねじを外して筐体を取り外し、さらに、内部トレイのねじを外し、内部トレイを取り外し、スライダ機構などのレバー群を外し、筐体に設けられたシートを外し、コネクタを外した後に基板を外すという煩雑な工程が必要とされる。
つまり、特許文献１の従来例では、基板ベースが装置の内部に取り付けられているため、基板ベースの取り外しのためには、前述のような煩雑な工程が必要とされ、工程や時間のロスが発生し、さらには、取外作業に伴う部品の変形という不具合も生じることがある。
【０００６】
本発明は、このような点等に鑑みて、メンテナンスなどのために基板を装置本体から容易に取り外すことができる機構体装置および記録媒体駆動装置を提供することを１つの目的とする。
【課題を解決するための手段】
【０００７】
本発明の機構体装置は、第一部品が取り付けられる第一支持体と、前記第一支持体と所定間隔離して対向配置され第二部品が取り付けられる第二支持体とを備えた装置本体と、前記第一支持体と前記第二支持体とを結合する結合部材と、前記第一支持体と前記第二支持体とが前記結合部材により結合された状態で前記装置本体に対して抜き差しされる基板と、を具備することを特徴とする。
【０００８】
本発明の記録媒体駆動装置は、前述の構成の機構体装置を備えた記録媒体駆動装置であって、前記第一部品は、少なくとも記録媒体を装着する装着部、および前記記録媒体への情報の書き込みと前記記録媒体からの情報の読み出しとの少なくとも一方を行う情報処理部を備え、前記第二部品は少なくとも前記記録媒体を前記装着部に装着するための搬送機構を備えることを特徴とする。
【図面の簡単な説明】
【０００９】
【図１】本発明の一実施形態にかかる記録媒体駆動装置の正面から見た斜視図。
【図２】記録媒体駆動装置の分解斜視図。
【図３】記録媒体駆動装置の底面から見た斜視図。
【図４】記録媒体駆動装置の要部を示す分解斜視図。
【図５】ベースシャーシの斜視図。
【図６】基板をサブシャーシに取り付ける状態の斜視図。
【図７】サブシャーシをベースシャーシに取り付ける状態の斜視図。
【図８】サブシャーシをベースシャーシに取り付ける状態の底面から見た斜視図。
【図９】記録媒体駆動装置の底面から見た分解斜視図。
【図１０】基板を装置本体から抜き出す状態を示す概略図。
【図１１】基板を装置本体へ差し込む状態を示す概略図。
【発明を実施するための形態】
【００１０】
以下、本発明の一実施形態について説明する。
［ディスク装置の構成］
図１から図４には本実施形態の記録媒体駆動装置の全体構成が示されている。図１には記録媒体駆動装置の正面から見た斜視図が示され、図２には記録媒体駆動装置の分解斜視図が示され、図３には記録媒体駆動装置を底面から見た斜視図が示され、図４には記録媒体駆動装置の要部を示す分解斜視図が示されている。
図１から図４に示される通り、記録媒体駆動装置は、例えば、ノート型のパーソナルコンピュータなどの携帯型の電気機器や、車両などに搭載される電気機器などに装着される、いわゆるスロットインタイプと称されるディスク装置１である。
このディスク装置１は、ＢＤ（Blu-ray Disc）やＤＶＤ（Digital Versatile Disc）であるディスク状の記録媒体Ｄに情報を記録したり、記録媒体Ｄに記録された情報を再生したりする。
そして、ディスク装置１は、記録媒体Ｄが内部に収納可能な機構体装置２と、この機構体装置２の一面を覆う板金製のカバー３と、機構体装置２の正面に設けられ記録媒体Ｄを挿入するための挿入口４Ａが形成されたベゼル４とを備えて構成されている。
そして、ディスク装置１は、本実施形態で示される機構体装置２を備える電子装置のうち、記録媒体Ｄを内部に収容可能であって、記録媒体Ｄを装着する装着部、および記録媒体Ｄへの情報の書き込みと記録媒体Ｄからの情報の読み出しを行い、記録媒体Ｄの搬送機構を備える一つの装置の形態である。また、スロットインタイプでは、装置正面に記録媒体Ｄを挿入するための挿入口４Ａが形成されたベゼル４とを備えている。
機構体装置２は、この機構体装置２の一面を覆う板金製のカバー３を備えている。
【００１１】
また、機構体装置２は、装置本体５と、この装置本体５に矢印Ｐ方向に抜き差し自在に設けられた基板６と備えている。
装置本体５は、第一支持体としてのベースシャーシ５１と、このベースシャーシ５１と対向配置される第二支持体としてのサブシャーシ５２と、基板６を結合する複数（図４では３本）のねじからなる結合部材５３と、これらの結合部材５３で結合した状態の基板６を着脱可能とするために着脱のガイド、高さ方向の支持、および位置決めを行う構成である基板着脱部５４（図５、６、７参照）とを備えて構成されている。
ベースシャーシ５１は、金属の板材の周辺を折り曲げて平面が矩形状に形成されたものであり、平板部５１Ａと、この平板部５１Ａの周辺部に起立して設けられた起立部５１Ｂと、この起立部５１Ｂの所定位置に折り曲げて形成されカバー３と当接する接合片部５１Ｃとを備え、この接合片部５１Ｃが複数のビス５５でカバー３の周辺部に接合されている。
ベースシャーシ５１の平板部５１Ａには、後述するように複数の開口が形成されており、これらの開口や結合部材５３の頭部を閉塞するために平板部５１Ａの底面には２枚のシート５６Ａ，５６Ｂが貼付されている(図９参照)。
【００１２】
図５にはベースシャーシ５１の斜視図が示され、図６には基板６をサブシャーシ５２に取り付ける状態の斜視図が示され、図７にはサブシャーシ５２をベースシャーシ５１に取り付ける状態の斜視図が示され、図８にはサブシャーシ５２をベースシャーシ５１に取り付ける状態を底面から見た斜視図が示され、図９には記録媒体駆動装置の底面から見た分解斜視図が示されている。
図５および図７に示される通り、ベースシャーシ５１には、第一部品７１として、装着部７１１、情報処理部７１３を備えるトラバースメカと称されるディスク処理部７１２が取り付けられている。装着部７１１は、情報記録・再生時に記録媒体Ｄを装着し、情報処理部７１３は記録媒体Ｄへの情報の書き込みと情報の読み出しとの少なくとも一方を行う。
ディスク処理部７１２は、例えば金属板にて略板状に形成されたものであり、その先端部に台座部７１２Ａを有する。ディスク処理部７１２は、装置本体５の厚み方向（高さ方向）に略沿って揺動可能にベースシャーシ５１に配設されている。
装着部７１１はベースシャーシ５１の中央部分に設けられ得たターンテーブルであり、下方に電気駆動部としてのスピンドルモータを備える。このターンテーブルは記録媒体Ｄの中央部に形成された係合孔に係合される。
情報処理部７１３は台座部７１２Ａの長手方向に略沿った中心軸を有する一対のガイドシャフト（図示せず）間に架橋する状態に支持されており、図示しない光源と、この光源からの光を収束するピックアップレンズと記録媒体Ｄで反射された出射光を検出する図示しない光センサとを有するヘッド７１３Ａとを備えたピックアップ機構である。ヘッド７１３Ａは図示しない電気的な移動機構により装着部７１１に対して近接離隔される。
スピンドルモータとピックアップのヘッド移動機構は駆動側コネクタと接続されている。
【００１３】
図６および図７に示される通り、サブシャーシ５２は金属の板材を折り曲げて形成されたものであり、第二部品７２として、記録媒体Ｄを装着部７１１に装着するための搬送機構７２０が取り付けられている。この搬送機構７２０は、記録媒体Ｄを搬入・搬出するための複数のアーム７２１およびスライダ７２２と歯車機構７２３とを備えて構成されており、この歯車機構７２３はベースシャーシ５１に設けられた歯車機構７２４と連結されている。
この歯車機構７２４、ピックアップ機構、ターンテーブルなどは電気駆動部としてのモータ（図示せず）と連結されている。モータは図示しない駆動側コネクタと接続されており、この駆動側コネクタとモータとはそれぞれベースシャーシ５１に取り付けられている。
サブシャーシ５２とベースシャーシ５１とは複数のねじ５７で互いに接合される。これらのねじ５７は基板６の抜き差しに邪魔にならない位置に設けられている。ベースシャーシ５１の平板部５１Ａには、サブシャーシ５２とベースシャーシ５１との間の位置決めを行うための突起部５１０が複数形成されている。この突起部５１０はねじ５７と螺合されるねじ受けである。
【００１４】
基板６は、板部６０と、この板部６０にそれぞれ設けられた複数の電子部品６１と、端子部６２と、基板側コネクタ６３Ａ，６３Ｂ，６３Ｃとを有する。
板部６０は、昇降動作するディスク処理部７１２と干渉しないようにするために、抜き差し方向Ｐに延びる長手状板部６０１と、この長手状板部６０１の長手方向と交差する方向に一体に形成されるとともに切欠き６０２Ａを有する延出部６０２とを備え、板部６０の側縁部はディスク処理部７１２の側面と離れるように平面Ｌ字形とされた形状である。
板部６０には結合部材５３の軸部を挿通するための挿通孔６０Ａが形成されている。
電子部品６１は、端子部６２と基板側コネクタ６３Ａ，６３Ｂ，６３Ｃとに接続される電子回路部品である。
端子部６２は板部６０のサブシャーシ５２と対向する側に取り付けられた短寸板状のケース６２１に端子本体６２２が設けられた構造である。この端子本体６２２を通じて外部電源が供給され、装置内外での情報のやりとりがされる。
【００１５】
図６、図８および図９に示される通り、基板側コネクタ６３Ａ，６３Ｂ，６３Ｃは板部６０の情報処理部７１３と近接する側縁部に沿って取り付けられる。このうち、基板側コネクタ６３Ａは基板６の抜き差し方向Ｐに延びる位置に設けられ、基板側コネクタ６３Ｂ，６３Ｃは基板側コネクタ６３Ａが設けられた方向と交差する方向に延びる位置に設けられている。
基板側コネクタ６３Ａはフレキシブル基板６４Ａの先端部と着脱自在に接続され、基板側コネクタ６３Ｂはフレキシブル基板６４Ｂの先端部と着脱自在に接続され、基板側コネクタ６３Ｃはフレキシブル基板６４Ｃの先端部と着脱自在に接続されている。
これらのフレキシブル基板６４Ａ，６４Ｂ，６４Ｃはベースシャーシ５１に形成され基板側コネクタ６３Ａ，６３Ｂ，６３Ｃをベースシャーシ５１の底面から臨むような、換言すれば、基板側コネクタ６３Ａ，６３Ｂ，６３Ｃより大きな窓部５１Ｄに挿通される。この窓部５１Ｄはシート５６Ａで閉塞される。
フレキシブル基板６４Ａ，６４Ｂ，６４Ｃは、その他端部が前述の駆動側コネクタと接続されている。
機構体装置２の一つの端面には基板６を装着した状態で端子部６２の側方に開口部５０Ａが形成され、この開口部５０Ａを覆う蓋６４が機構体装置２に設けられている。
開口部５０Ａは基板６を抜き差しする大きな基板着脱開口５０の一部で端子部６２の側方に位置する。
【００１６】
図５から図７に示される通り、基板着脱部５４は、基板６を抜き差し方向Ｐに案内するガイド部５４１と、ベースシャーシ５１およびサブシャーシ５２にそれぞれ設けられベースシャーシ５１とサブシャーシ５２との間の間隔に対応する位置（高さ）を規制する高さ規制部５４２と、基板６の差し込み方向の位置を規制する位置決部５４３とを有する。
ガイド部５４１は、板部６０の長手状板部６０１の端縁部を案内するためにベースシャーシ５１の起立部５１Ｂに設けられた内壁面５４１Ａと、板部６０の延出部６０２の端縁部を案内するためにベースシャーシ５１の起立部５１Ｂに設けられた端縁５４１Ｂと、
長手状板部６０１の端縁部を案内するためにベースシャーシ５１の平板部５１Ａに起立して設けられた折曲片５４１Ｃとから構成されている。折曲片５４１Ｃは基板６の挿入時に板部６０の先端部を案内するために折り曲げた平面形状とされる。
【００１７】
高さ規制部５４２は、ベースシャーシ５１の平板部５１Ａにそれぞれ形成された複数の略半球状の突起部５４２Ａおよび円錐台状の突起部５４２Ｂと、サブシャーシ５２にそれぞれ形成された直線状突起部５４２Ｃと、ねじ止め用突起部５４２Ｄとから構成されている。突起部５４２Ｂの平面部の中央には結合部材５３を挿通するための孔が形成されており、ねじ止め用突起部５４２Ｄは結合部材５３を受ける受け部とされる。
これらの突起部５４２Ａおよび円錐台状の突起部５４２Ｂと、直線状突起部５４２Ｃおよびねじ止め用突起部５４２Ｄとは基板６を挟んで配置されている。
位置決部５４３は、サブシャーシ５２に形成された突起であり、基板６の長手状板部６０１に形成された係合用切欠６０Ｂに係合される。
【００１８】
［装置の作用］
次に、本実施形態の作用について、図１０および図１１を参照して説明する。
｛基板の取外｝
機構体装置２において、基板６を取り外す方法を説明する。
まず、図３で示される完成されたディスク装置１において、図４で示される通り、蓋６４を機構体装置２から外し、ベースシャーシ５１の底面からシート５６Ａを剥がし、基板側コネクタ６３Ａ，６３Ｂ，６３Ｃからフレキシブル基板６４Ａ，６４Ｂ，６４Ｃを外す。さらに、図１０に示される通り、結合部材５３を装置本体５から取り外す。これにより、基板６と装置本体５との係合が解除されることになる。なお、図１０では、基板６は、板部６０のみが図示されている。
そして、基板６を機構体装置２の基板着脱開口５０から抜き出し、必要に応じて電子部品６１などをメンテナンスする。基板６の抜き出しに際して、板部６０は高さ規制部５４２を構成する突起部５４２Ａ，５４２Ｂおよびねじ止め用突起部５４２Ｄに高さ位置がガイドされ、また、内壁面５４１Ａと端縁５４１Ｂと折曲片５４１Ｃに平面方向をガイド規制されながら、装置内部からスムーズに取り出される。
【００１９】
｛基板の装着｝
基板６を機構体装置２に装着するには、図１１に示される通り、基板６の板部６０を機構体装置２の基板着脱開口５０から内部に向けて差し込む。すると、板部６０は、突起部５４２Ａ，５４２Ｂおよびねじ止め用突起部５４２Ｄに高さ位置をガイドされ、また、内壁面５４１Ａと端縁５４１Ｂと折曲片５４１Ｃに平面方向をガイドされながら、装置内部にスムーズに送られる。
基板６は板部６０の先端部に形成された係合用切欠６０Ｂが位置決部５４３に嵌合および当接されることで、装置本体５に対する位置決めがされる。
その後、図４に示される通り、結合部材５３を装置本体５に対してねじ込み、基板側コネクタ６３Ａ，６３Ｂ，６３Ｃとフレキシブル基板６４Ａ，６４Ｂ，６４Ｃとを接続し、さらに、蓋６４を機構体装置２に取り付ける。さらに、ベースシャーシ５１の底面にシート５６Ａを貼付する。
また、基板６の装着は、装置を最初に組み立てる際には、図６に示されるように、先に基板６をサブシャーシ５２にねじ５３によって装着した後、図７に示されるように、ベースシャーシ５１に組み立ててもよい。
【００２０】
［装置の効果］
前述したように、本実施形態では、以下のような作用効果を奏することができる。
（１）第一部品７１として記録媒体Ｄを装着する装着部７１１、情報処理部７１３を保持・支持するディスク処理部７１２が取り付けられるベースシャーシ５１と、このベースシャーシ５１と所定間隔離して対向配置され第二部品７２として搬送機構７２０などが取り付けられるサブシャーシ５２とを備えた装置本体５と、ベースシャーシ５１とサブシャーシ５２が結合された状態で装置本体５に対して抜き差しされる基板６と、基板６を結合するサブシャーシ５２に結合する結合部材５３と、を具備して機構体装置２を構成した。そのため、メンテナンスなどのために、完成した機構体装置２から基板６を抜き出すには、結合部材５３を装置本体５から取り外せばよく、カバー３、ベゼル４の取り外し工程や、ベースシャーシ５１からディスク処理部７１２を取り外す工程や、サブシャーシ５２の取り外し工程や、サブシャーシ５２から搬送機構７２０を取り外す工程などの煩雑な取外工程が不要とされるから、取外工程や時間のロスが少なくなり、しかも、基板６が円滑に装置本体５から取り外せるので、基板６やその他の部品の変形という不具合を回避することができる。
【００２１】
（２）ベースシャーシ５１とサブシャーシ５２との双方にはこれらが結合部材５７により結合された状態で基板６を装置本体５に対して着脱可能とする基板着脱部５４が設けられるから、この基板着脱部５４によって基板６が円滑に装置本体５に抜き差しすることができる。
【００２２】
（３）基板着脱部５４は、基板６の板部６０を抜き差し方向Ｐに案内するガイド部５４１を有するから、基板６が抜き差し方向Ｐに対して左右にずれることがない。そのため、基板６の抜き差しに伴って基板６ならびに装置本体５の内部部品を損傷することがない。
【００２３】
（４）基板着脱部５４は、ベースシャーシ５１およびサブシャーシ５２にそれぞれ設けられ基板６の厚み方向（高さ方向）の位置を規制する高さ規制部５４２を有するから、基板６を装置本体５に差し込む場合に、板部６０の先端でベースシャーシ５１などを損傷させることがない。
【００２４】
（５）基板着脱部５４は、基板６の差し込み方向の位置を規制する位置決部５４３を有するから、基板６を差し込み過ぎて抜けなくなるという不都合を回避することができる。
【００２５】
（６）基板６は電子部品６１を有し、第一部品７１は電気駆動部であるモータとこのモータに通電する駆動側コネクタとを有し、基板６は基板側コネクタ６３Ａ，６３Ｂ，６３Ｃを有し、これらの基板側コネクタ６３Ａ，６３Ｂ，６３Ｃと駆動側コネクタとはフレキシブル基板６４Ａ，６４Ｂ，６４Ｃで接続され、フレキシブル基板６４Ａ，６４Ｂ，６４Ｃはベースシャーシ５１に形成され基板側コネクタ６３Ａ，６３Ｂ，６３Ｃより大きな窓部５１Ｄに挿通される。そのため、ベースシャーシ５１に大きな窓部５１Ｄが形成されることで、基板側コネクタ６３Ａ，６３Ｂ，６３Ｃとフレキシブル基板６４Ａ，６４Ｂ，６４Ｃとの取付作業や取外作業を容易に行うことができる。
【００２６】
（７）基板６の板部６０は、その側縁部が第一部品７１のディスク処理部７１２の側面と離れるように平面Ｌ字形に形成されるから、基板６を差し込んだ状態でディスク処理部７１２との干渉を防止することができる。そのため、ディスク処理部７１２が昇降動作を円滑に行うことができるだけでなく、基板６とディスク処理部７１２とを並べて配置することによって、ディスク装置１の薄型化を達成することができる。
【００２７】
（８）基板側コネクタ６３Ａ，６３Ｂ，６３Ｃは基板６の板部６０のディスク処理部７１２と近接する側縁部に沿って取り付けられるから、フレキシブル基板６４Ａ，６４Ｂ，６４Ｃの長さを短いものにすることができる。
【００２８】
（９）基板側コネクタ６３Ａ，６３Ｂ，６３Ｃは基板６の抜き差し方向Ｐに延びる位置と、この位置と交差する方向に延びる位置との複数箇所にそれぞれ設けられるから、基板６の板部６０のディスク処理部７１２と近接する側縁部に沿って基板側コネクタ６３Ａ，６３Ｂ，６３Ｃを並べて配置することで、狭いスペースでの基板側コネクタ６３Ａ，６３Ｂ，６３Ｃとフレキシブル基板６４Ａ，６４Ｂ，６４Ｃとの取付作業や取外作業を容易に行うことができる。
【００２９】
（１０）基板６を装着した状態で機構体装置２に開口部５０Ａが形成され、開口部５０Ａを覆う蓋６４が機構体装置２に取り付けられてある。開口部５０Ａを含めた大きな基板着脱開口５０が機構体装置２に形成されることから、この基板着脱開口５０に基板６を容易に差し込み、取り外しを行うことができる。基板６を差し込んで形成された開口部５０Ａを蓋６４で覆うので、外部のゴミなどが機構体装置２の内部に浸入することがない。
【００３０】
（１１）結合部材５３をねじで構成したから、基板６とベースシャーシ５１およびサブシャーシ５２への着脱を簡単に行える。
（１２）機構体装置２を前述の構成としたから、基板６を装置本体５から容易に取り外すことができるディスク装置１を提供することができる。
【００３１】
［変形例］
なお、本発明は前述の一実施形態に限定されるものではなく、本発明の目的を達成できる範囲での変形、改良などは本発明に含まれるものである。
例えば、前記実施形態では、ベースシャーシ５１とサブシャーシ５２との双方に基板着脱部５４を設けたが、本発明では、ベースシャーシ５１とサブシャーシ５２のいずれが一方に基板着脱部５４を設けるものでもよい。
【００３２】
前記実施形態では、基板着脱部５４は、基板６の板部６０を抜き差し方向Ｐに案内するガイド部５４１と、ベースシャーシ５１およびサブシャーシ５２にそれぞれ設けられベースシャーシ５１とサブシャーシ５２との間の間隔に対応する位置（高さ）を規制する高さ規制部５４２と、基板６の差し込み方向の位置を規制する位置決部５４３とを有する構成としたが、本発明では、これらのうち１つあればよい。
さらに、蓋６４を必ずしも設けることを要しない。この場合、基板６を差し込むための開口を小さくすればよい。
また、基板６を蓋６４で挟み込み、基板を固定する構成とすることによって結合部材５３をなくす構成としてもよい。
また、本発明では、機構体装置２をディスク装置１以外の電子装置に適用するものでもよい。
【符号の説明】
【００３３】
１…ディスク装置（記録媒体駆動装置）、２…機構体装置、５…装置本体、６…基板、５０…基板着脱開口、５０Ａ…開口部、５１…ベースシャーシ（第一支持体）、５１Ｄ…窓部、５２…サブシャーシ（第二支持体）、５３…結合部材、５４…基板着脱部、６０…板部、６０Ａ…挿通孔、６１…電子部品、６２…端子部、６３Ａ，６３Ｂ，６３Ｃ…基板側コネクタ、６４…蓋、６４Ａ，６４Ｂ，６４Ｃ…フレキシブル基板、７１…第一部品、７２…第二部品、５４１…ガイド部、５４１Ａ…内壁面、５４１Ｂ…端縁、５４１Ｃ…折曲片、５４２…高さ規制部、５４２Ａ，５４２Ｂ…突起部、５４２Ｃ…直線状突起部、５４２Ｄ…、ねじ止め用突起部、６０１…長手状板部、６０２…延出部、７１１…装着部、７１２点ディスク処理部、７１３…情報処理部、７２０…搬送機構、Ｄ…記録媒体、Ｐ…抜き差し方向
【図１】
2012243344.tif 000003
【図２】
2012243344.tif 000004
【図３】
2012243344.tif 000005
【図４】
2012243344.tif 000006
【図５】
2012243344.tif 000007
【図６】
2012243344.tif 000008
【図７】
2012243344.tif 000009
【図８】
2012243344.tif 000010
【図９】
2012243344.tif 000011
【図１０】
2012243344.tif 000012
【図１１】
2012243344.tif 000013